(57)【要約】【課題】高い遠赤外線の発生効率を確保しながら家庭や小さな施設でも用いることが可能な簡易な構成の温熱健康器を提供すること。【解決手段】上開き箱状の健康器本体１と、その底部上に構成した加熱部２と、その上にトルマリン鉱石の破片３ａ、３ａ…を充填して構成したトルマリン充填部３と、加熱部２の温度及び加熱時間を制御する制御部とで構成したものである。健康器本体１は、直方体状の容器部１ａとその下部に配した長方形枠状の脚部１ｂとで構成し、容器部１ａには、その一端部に制御室を備える。加熱部２は、健康器本体１の底部に配した５本の電熱ヒータ２ｃ、２ｃ…及びその周囲の砂利部２ｄ等で構成する。制御部は、サーモスタット部を除いて、制御室中に配し、電熱ヒータ２ｃ、２ｃ…の通電時間及び目標温度を設定することができるように構成する。【選択図】  図３
0003121158.tif 000002
【実用新案登録請求の範囲】
【請求項１】
上開き箱状の健康器本体と、その底部上に構成した加熱部と、該加熱部上に該健康器本体の天端までトルマリン鉱石の破片を充填して構成したトルマリン充填部と、該加熱部の温度及び加熱時間を制御する制御部とで構成した温熱健康器。
【請求項２】
前記加熱部を、前記健康器本体の底板上に配した断熱材と、該断熱材上に配した耐火ボードと、該耐火ボード上に配した複数本の電熱ヒータと、該電熱ヒータの周囲に砂利を充填した砂利部と、該砂利部の上方で前記トルマリン充填部との間を仕切る耐火ボード仕切板とで構成した請求項１の温熱健康器。
【請求項３】
前記制御部を、前記電熱ヒータを配した耐火ボード上の砂利部内に設置したサーモスタット部であって、該電熱ヒータにより砂利部の温度を一定に保つべく該電熱ヒータへの供給電力を制御するサーモスタット部と、該電熱ヒータへの通電時間を制御するタイマー部と、使用者が該サーモスタット部の目標温度を設定する温度設定部と、使用者が該タイマー部の通電時間を設定するタイマー設定部とで構成した請求項１又は２の温熱健康器。
【考案の詳細な説明】
【技術分野】
【０００１】
本考案は、その上に横たわった者の身体にトルマリン鉱石からの遠赤外線を加えることによりその者の健康を増進させる温熱健康器に関するものである。
【背景技術】
【０００２】
身体を温めて健康を増進しようとする健康法の一つに岩盤浴というものがある。これは、加熱した岩盤床上に横たわって該岩盤からの遠赤外線を受けるものであり、これによる発汗作用を通じて、同時に有害ミネラル分を含む脂肪を排出し、血液の浄化や自律神経の調整等の効果を得ることが出来るものであるとされている。またこの岩盤浴の際に発せられる汗はサラサラとして粘り気がなく、皮膚に対する保湿成分を含むものであるとも云われている。岩盤浴は、このような作用を通じて、ストレスや疲れ・肩こりの解消、肌荒れ・乾燥肌の改善、冷え症の改善、便秘の解消、肥満・高血圧の改善等の効果を得ることができると云われている。
【０００３】
このような岩盤浴を実施するための手段として、トルマリン鉱石を使用した岩盤浴用ベッド及び椅子（特許文献１）、岩盤温熱浴施設（特許文献２）及び岩盤浴構造（特許文献３）が提案されている。特許文献１は、トルマリン鉱石をモルタル等で固めることによりその体積当たりの遠赤外線発生量を低下させ、効率を落としていると云う問題があり、特許文献２も同様に遠赤外線の発生効率が十分とは云えない不都合を抱えていると共に、その構造が複雑で高価な施設になってしまう難点もある。特許文献３も特許文献２と同様であり、簡易な設備とは云えないし、遠赤外線の発生効率も十分に高いとは云えない。
【０００４】
【特許文献１】特開２００４−１３００４７号公報
【特許文献２】特開２００５−３２９０４６号公報
【特許文献３】特開２００５−０７３８００号公報
【考案の開示】
【考案が解決しようとする課題】
【０００５】
本考案は、以上の従来例の問題点を解消し、高い遠赤外線の発生効率を確保しながら家庭や小さな施設でも用いることが可能な簡易な構成を持った温熱健康器を提供することを解決の課題とする。
【課題を解決するための手段】
【０００６】
本考案の１は、上開き箱状の健康器本体と、その底部上に構成した加熱部と、該加熱部上に該健康器本体の天端までトルマリン鉱石の破片を充填して構成したトルマリン充填部と、該加熱部の温度及び加熱時間を制御する制御部とで構成した温熱健康器である。
【０００７】
本考案の２は、本考案の１の温熱健康器に於いて、前記加熱部を、前記健康器本体の底板上に配した断熱材と、該断熱材上に配した耐火ボードと、該耐火ボード上に配した複数本の電熱ヒータと、該電熱ヒータの周囲に砂利を充填した砂利部と、該砂利部の上方で前記トルマリン充填部との間を仕切る耐火ボード仕切板とで構成したものである。
【０００８】
本考案の３は、本考案の１又は２の温熱健康器に於いて、前記制御部を、前記電熱ヒータを配した耐火ボード上の砂利部内に設置したサーモスタット部であって、該電熱ヒータにより砂利部の温度を一定に保つべく該電熱ヒータへの供給電力を制御するサーモスタット部と、該電熱ヒータへの通電時間を制御するタイマー部と、使用者が該サーモスタット部の目標温度を設定する温度設定部と、使用者が該タイマー部の通電時間を設定するタイマー設定部とで構成したものである。
【考案の効果】
【０００９】
本考案の１の温熱健康器によれば、その加熱部を加熱動作させ、トルマリン鉱石を加熱し、これを適当な温度まで昇温させ、その上に、適当な敷物を配した上で身体を横たえれば、該トルマリン鉱石から発せられる遠赤外線等により身体が効果的に加温され、多量の発汗作用を生じ、皮脂腺に溜まっている有害ミネラルを含む脂肪の排出が促される。いわゆる岩盤浴の作用が得られるものであり、上記のような作用を通じて血液の浄化作用や自律神経の調整作用がもたらされ得ると思われる。
【００１０】
本考案の２の温熱健康器によれば、安全性を確保しながら、トルマリン鉱石に効率的に熱を伝達することができる。
【００１１】
本考案の３の温熱健康器によれば、トルマリン鉱石に加えるべき熱量を適切に制御することができる。
【考案を実施するための最良の形態】
【００１２】
以下、本考案の実施の形態を、実施例に基づいて添付図面を参照しながら詳細に説明する。
【００１３】
この実施例の温熱健康器は、図１〜図４に示すように、上開き箱状の健康器本体１と、その底部上に構成した加熱部２と、該加熱部２上に該健康器本体１の天端までトルマリン鉱石の破片３ａ、３ａ…を充填して構成したトルマリン充填部３と、前記加熱部２の温度及び加熱時間を制御する制御部４とで構成したものである。
【００１４】
前記健康器本体１は、図１〜図４に示すように、直方体状の容器部１ａとその下部に配した平面から見て長方形の枠状の脚部１ｂとで構成したものであり、該容器部１ａは、その長さ方向の１端に上部も閉じた制御室１ａ１を備え、他端には上部のみを被覆した被覆縁部１ａ２を備えたものであり、当然、底部は底板１ａ３で区画されている。
【００１５】
前記加熱部２は、図２及び図３に示すように、前記健康器本体１の底板１ａ３上に配した断熱材２ａと、該断熱材２ａ上に配した耐火ボード２ｂと、該耐火ボード２ｂ上に配した５本の電熱ヒータ２ｃ、２ｃ…と、該電熱ヒータ２ｃ、２ｃ…の周囲に砂利を充填した砂利部２ｄと、該砂利部２ｄの上方で前記トルマリン充填部３との間を仕切る耐火ボード仕切板２ｅとで構成したものである。
【００１６】
前記制御部４は、図１、図２及び図４に示すように、前記電熱ヒータ２ｃ、２ｃ…を配した耐火ボード２ｂ上の砂利部２ｄ内に設置したサーモスタット部４ａと、該電熱ヒータ２ｃ、２ｃ…への通電時間を制御するタイマー部４ｂと、使用者が該サーモスタット部４ａの目標温度を設定する温度設定部４ｃと、使用者が該タイマー部４ｂの通電時間を設定するタイマー設定部４ｄとで構成したものである。
【００１７】
前記サーモスタット部４ａは、前記電熱ヒータ２ｃ、２ｃ…によって砂利部２ｄの温度を一定に保つべく該電熱ヒータ２ｃ、２ｃ…への供給電力を制御するものである。該サーモスタット部４ａが供給電力を制御して保持すべき砂利部２ｄの一定の温度は、前記温度設定部４ｃで設定すべき目標温度であり、該温度設定部４ｃの制御室１ａ１の天板部に露出した部分は設定用ダイヤル部４ｃ１に構成され、使用者は、これを利用して前記目標温度を設定できるようになっている。
【００１８】
前記タイマー設定部４ｄは、前記のように、前記タイマー部４ｂの通電時間を設定するものであるが、これもダイヤル状に構成されており、これにより容易に該タイマー部４ｂの通電時間を設定できるようになっている。
【００１９】
従ってこの実施例の温熱健康器は制御部４の設定操作をしてその動作を開始させることができる。設定用ダイヤル部４ｃ１を回転操作して温度設定部４ｃの目標温度を設定し、タイマー設定部４ｄを回転操作してタイマー部４ｂの動作時間を設定する。これらは、自由に設定可能であるが、前記目標温度は１００〜１３０℃程度に設定するのが適当であり、動作時間は、トルマリン充填部３のトルマリン鉱石の破片３ａ、３ａ…が十分に加熱されるまでの時間及び使用時間を考慮して３〜４時間程度に設定しておくのが適当である。なお、云うまでもなく、これらは使用中に変更することも可能である。
【００２０】
以上のようにして制御部４の設定操作をして、タイマー部４ｂがタイマー設定部４ｄで設定されると、前記電熱ヒータ２ｃ、２ｃ…の加熱動作が開始する。健康器本体１が１人の使用者がそのトルマリン充填部３上に横たわることができる程度のサイズの場合には、前記のような目標温度や時間に設定すると、概ね２〜３時間で該トルマリン充填部３の上表面温度が１００℃〜１３０℃程度に昇温することになる。
【００２１】
使用者は、このトルマリン充填部３の上表面上に、例えば、ゴザを敷き、更にその上にタオルケットを敷いた上で、横たわることで、該トルマリン充填部３に充填したトルマリン鉱石の破片３ａ、３ａ…から放射される遠赤外線を受け、前記した種々の健康作用を受けることができる。
【００２２】
横たわった使用者の身体は、トルマリン充填部３のトルマリン鉱石の破片３ａ、３ａ…から放射される遠赤外線を受けて暖められ、大量の汗を発する発汗作用が促され、このような発汗作用を通じて、同時に有害ミネラル分を含む脂肪が排出され、血液の浄化や自律神経の調整等の効果を得ることが出来ることとなる。またこのとき発する汗には皮膚に対する保湿成分を含むものであるとも云われ、肌荒れの改善等も進むことになる。こうしてこの温熱健康器を使用すると、岩盤浴の効果を簡易かつ容易に得ることができる。
【００２３】
またこの実施例の温熱健康器によれば、前記のような構成であるため、安全性を確保しながら、トルマリン鉱石の破片３ａ、３ａ…に効率的に熱を伝達し、効率的に遠赤外線の放射作用を働かせることができる。更にトルマリン鉱石の破片３ａ、３ａ…に加えるべき熱量を適切に制御することもできる。
【図面の簡単な説明】
【００２４】
【図１】一実施例の温熱健康器の斜視図。
【図２】一実施例の温熱健康器のトルマリン充填部、耐火ボード仕切板及び砂利部の砂利を除去した状態の斜視図。
【図３】図１のＡ−Ａ線断面図。
【図４】図２のＢ−Ｂ線断面図。
【符号の説明】
【００２５】
１    健康器本体
１ａ  容器部
１ａ１  制御室
１ａ２  被覆縁部
１ａ３  底板
１ｂ  脚部
２    加熱部
２ａ  断熱材
２ｂ  耐火ボード
２ｃ  電熱ヒータ
２ｄ  砂利部
２ｅ  耐火ボード仕切板
３    トルマリン充填部
３ａ  トルマリン鉱石の破片
４    制御部
４ａ  サーモスタット部
４ｂ  タイマー部
４ｃ  温度設定部
４ｃ１  設定用ダイヤル部
４ｄ  タイマー設定部
【図１】
0003121158.tif 000003
【図２】
0003121158.tif 000004
【図３】
0003121158.tif 000005
【図４】
0003121158.tif 000006